(57)【特許請求の範囲】
【請求項１】
ワイヤレスアンテナを備え、該ワイヤレスアンテナを通じてワイヤレス通信をするためのネットワークカードを装着可能に構成されるコンピュータ装置であって、
前記ワイヤレス通信に関して前記ワイヤレスアンテナとの組み合わせで規格認定を受けている前記ネットワークカードのサポートデバイス情報を格納する格納手段と、
装着された前記ネットワークカードの識別情報を認識する認識手段と、
前記ワイヤレスアンテナと前記ネットワークコントローラに接続され、前記ネットワークコントローラが装着された初期状態では前記ワイヤレスアンテナと前記ネットワークコントローラとの接続をオフに保つと共に、前記認識手段により認識された前記識別情報と前記格納手段に格納された前記サポートデバイス情報とが合致した場合に前記接続をオフからオンに切り替えるスイッチング手段と
を含むコンピュータ装置。
【請求項２】
ワイヤレスアンテナを備え、該ワイヤレスアンテナを通じてワイヤレス通信をするためのネットワークカードを装着可能に構成されるコンピュータ装置であって、
前記ワイヤレス通信に関して前記ワイヤレスアンテナとの組み合わせで規格認定を受けている前記ネットワークカードのサポートデバイス情報を格納する格納手段と、
装着された前記ネットワークカードの識別情報を認識する認識手段と、
前記ワイヤレスアンテナと前記ネットワークコントローラに接続され、前記認識手段により認識された前記識別情報と前記格納手段に格納された前記サポートデバイス情報とが合致しない場合に、起動シーケンスを停止する停止手段と
を含むコンピュータ装置。
【請求項３】
更に、前記停止手段により起動シーケンスを停止する前に、規格認定されていないネットワークカードが接続された旨の情報を表示する表示手段を備えたことを特徴とする請求項２記載のコンピュータ装置。
【請求項４】
ワイヤレス通信のためのデバイスを装着可能に構成されると共に、ワイヤレスアンテナを備えたコンピュータ装置におけるワイヤレスシステムの設定方法であって、
装着される前記デバイスの識別情報を認識するステップと、
認識された前記識別情報に基づいて、前記デバイスがワイヤレス通信に関して前記ワイヤレスアンテナとの組み合わせで規格認定を受けているネットワークコントローラを含むか否かを判断するステップと、
前記デバイスが前記規格認定を受けているネットワークコントローラを含むと判断した場合に、当該デバイスが装着された初期状態において前記ワイヤレスアンテナと当該デバイスとの接続がオフに保たれたスイッチをオフからオンに切り替えるステップと
を含むワイヤレスシステムの設定方法。
【請求項５】
前記デバイスが前記規格認定を受けているネットワークコントローラを含まないと判断した場合に、起動シーケンスを停止するステップと含む請求項４記載のワイヤレスシステムの設定方法。
【請求項６】
更に、前記起動シーケンスを停止する前に、認定されていないネットワークコントローラが接続された旨の情報を表示するステップを含む請求項５記載のワイヤレスシステムの設定方法。
【発明の詳細な説明】
【０００１】
【発明の属する技術分野】
本発明は、コンピュータ装置等に係り、より詳しくは、ネットワークカード等の機能拡張デバイスを接続可能なコンピュータ装置等に関する。
【０００２】
【従来の技術】
近年、ケーブル無しで機器を接続し、ネットワークを構築するワイヤレスＬＡＮの機能がノートブック型パーソナルコンピュータ(ノートＰＣ)等のコンピュータ装置に搭載されるようになってきた。従来の有線ＬＡＮでは、ネットワーク上の全ての機器はケーブルで物理的に接続されているため、複雑な配線工事が必要であり、また、ポートが設置されていない場所からはネットワークに接続できないため、プレゼンテーションなど、定位置以外での機器の利用時には別途データをコピーするなどの事前の準備が必要であった。しかしながら、ワイヤレスＬＡＮにより、有線ＬＡＮにあった様々な制約を無くし、より柔軟性の高いオフィス環境の構築が可能となる。
【０００３】
このワイヤレス環境の最大の特徴は、ケーブルを使わずに他の機器と情報の受け渡しができることにあり、その種類としては「ＩＲ（赤外線通信）」や、「Bluetooth(ブルートゥース)」、「Ｗｉ-Ｆｉ(ワイファイ)」等、いくつかの規格がる。ここで、例えば、高速なブロードバンド・インターネットを有効に活用する際には、通信速度の早いワイヤレス環境を選択するために、例えば、国際規格ＩＥＥＥ802.11をベースとした「Ｗｉ-Ｆｉ」に準拠させるように構成することが好ましい。標準規格ＩＥＥＥ802.11 High-Rate規格は、ＷＥＣＡ(Wireless Ethernet Compatibility Alliance)が推進し、相互運用性を保証しており、互換性が認められた製品には「Ｗｉ-Ｆｉ」のマークが与えられる。ＩＥＥＥ802.11には、２.４ＧＨｚ帯を使用し最大１１Ｍｂｐｓの転送スピードを規格化したＩＥＥＥ802.11bと、５ＧＨｚ帯を使用し５４Ｍｂｐｓのスピードを規格化したＩＥＥＥ802.11aがある。
【０００４】
一方、ノートＰＣに代表されるコンピュータ装置には、例えばモデム機能の拡張等、メモリの拡張や各種入出力に使うために、ＰＣＩカード、ミニ(Mini)ＰＣＩカードなどの機能拡張カードを装着可能に構成されている。装着の仕方としては、コンピュータ装置のマザーボード(メイン基板)上に装着させる方法や、スロットに装着する方法等がある。例えばこの機能拡張カードを用いて上述の無線ＬＡＮ機能を実現する場合に、従来では、機能拡張カード自身にアンテナを取り付け、拡張カード内にあるワイヤレスＬＡＮ通信のためのコントローラとアンテナとを一体として、例えば、米連邦通信委員会(ＦＣＣ：Federal Communications Commission)等の認定を受けていた。
【０００５】
【発明が解決しようとする課題】
しかし、機能拡張カードに設けることのできるアンテナは、アンテナの配置、大きさ等に制約があり、その性能を高めることが難しい。そこで、例えばノートＰＣでは、近年、ワイヤレスアンテナを液晶パネル部から張り出した形や、液晶パネル部の外縁部等を利用して、ノートＰＣの本体に高性能のアンテナを内蔵するように構成されたものが存在している。
【０００６】
ここで、上述の規格認定を受ける際に、本体側に設けられるワイヤレスアンテナとコントローラとを一体として許可を受ける必要がある。このとき、ノートＰＣの備えるメイン基板に通信機能を実装すれば、設計上は最も簡単である。しかしながら、例えばワイヤレスＬＡＮは国毎に認証を取る必要があり、これらの機能をオンボードにしてしまうと、国毎に異なるメイン基板を作らなければならなくなる。また、将来の拡張性を考えると、メイン基板にワイヤレスＬＡＮのコントローラを実装することは好ましくない。そこで、本体側にワイヤレスアンテナを用いた場合にも、メイン基板ではなく機能拡張カードにコントローラを搭載することが好ましい。
【０００７】
一方、このように、ワイヤレスアンテナとコントローラとが分離する状態にて前述のような規格認定を受ける場合には、ノートＰＣのシステムに装着されるコントローラを限定する必要が生じる。即ち、規格認定ではワイヤレスアンテナとコントローラとを一体として許可されることから、システムに接続された、認定を受けていないコントローラを組み合わせて、ノートＰＣに搭載されたワイヤレスアンテナを介した通信を行うことは許されない。このような認定されていない組み合わせを防ぐ方法として、例えばユニークなコネクタを使用する等、ハードウェア上で制限を設けることも考えられるが、コネクタをユニークなものにすることは難しく、また「何がユニークなのか」を明確にすることも困難であり、認定されていない組み合わせを防ぐ方法としては妥当なものとは言い得ない。
【０００８】
本発明は、以上のような技術的課題を解決するためになされたものであって、その目的とするところは、アンテナを搭載するコンピュータ装置にあって、アンテナと不適切な組み合わせとなる通信用コントローラの接続によるワイヤレス通信を禁止することにある。
【０００９】
【課題を解決するための手段】
かかる目的を達成するために、本発明は、ワイヤレス通信のためのデバイスを装着可能に構成されると共に、ワイヤレスアンテナを備えたコンピュータ装置であって、装着されるデバイスの識別情報を認識する認識手段を備え、スイッチング手段により、デバイスが装着された初期状態ではワイヤレスアンテナとデバイスとの接続をオフに保つと共に、認識手段により認識された識別情報に基づいて接続をオフからオンに切り替えることを特徴としている。即ち、デフォルト状態にてワイヤレスアンテナとデバイスとの接続がされていないオフ状態にすることで、規格認定のされていないデバイス接続によるワイヤレス通信を禁止することができる。
【００１０】
ここで、ワイヤレスアンテナとの接続が許可されるサポートデバイス情報を格納する格納手段を更に含み、スイッチング手段は、この認識手段により認識された識別情報と格納手段に格納されたサポートデバイス情報とが合致した場合に接続をオフからオンに切り替えることを特徴とすることができる。また、この格納手段に格納されるサポートデバイス情報は、ワイヤレス通信に関してワイヤレスアンテナとの組み合わせで規格認定を受けているネットワークコントローラの識別情報であることを特徴としている。
【００１１】
更に、このデバイスは、ワイヤレスＬＡＮ機能と共に他の機能を集約したカードであることを特徴とすることができる。この他の機能としては、例えばモデム機能等がある。例えば、ワイヤレスＬＡＮ機能が規格認定を受けていないネットワークコントローラである場合にも、ワイヤレスアンテナとの接続をオフに保つことで、このような他の機能については生かした状態にてワイヤレスＬＡＮ機能だけを禁止することが可能となる。
【００１２】
他の観点から捉えると、本発明が適用されるコンピュータ装置は、ワイヤレス通信に関してワイヤレスアンテナとの組み合わせで規格認定を受けているネットワークカードの情報を格納手段に格納し、装着されたネットワークカードの有する識別情報を認識手段により認識し、この認識手段により認識された識別情報が格納手段により格納されている情報と一致しない場合に、停止手段により起動シーケンスを停止し、また、この停止手段により起動シーケンスを停止する前に、規格認定されていないネットワークカードが接続された旨の情報を表示手段により表示することを特徴とすることができる。
【００１３】
一方、本発明は、ワイヤレス通信のためのデバイスを装着可能に構成されると共に、ワイヤレスアンテナを備えたコンピュータ装置におけるワイヤレスシステム設定方法であって、装着されるデバイスの識別情報を認識するステップと、認識された識別情報に基づいて、このデバイスがコンピュータ装置によってサポートされているデバイスか否かを判断するステップと、このデバイスがコンピュータ装置によってサポートされているデバイスである場合に、このデバイスが装着された初期状態にてワイヤレスアンテナとデバイスとの接続がオフに保たれたスイッチをオフからオンに切り替えるステップとを含んでいる。
【００１４】
ここで、このコンピュータ装置によってサポートされているデバイスか否かは、ワイヤレスアンテナとの組み合わせによって規格認定を受けているネットワークコントローラをこのデバイスが含むか否かであることを特徴とすれば、例えばノートブック型コンピュータ装置(ノートＰＣ)において、予めネットワークコントローラをマザーボード上に設けずとも、例えばワイヤレスＬＡＮの規格認定に有効に対処できる点で好ましい。
【００１５】
更に本発明が適用されるワイヤレスシステム設定方法は、装着されるデバイスの識別情報を認識するステップと、認識されたこの識別情報に基づいて、このデバイスがワイヤレス通信に関してワイヤレスアンテナとの組み合わせで規格認定を受けているネットワークコントローラを含むか否かを判断するステップと、このデバイスが規格認定を受けているネットワークコントローラを含まないと判断される場合に起動シーケンスを停止するステップと、起動シーケンスを停止する前に、認定されていないネットワークコントローラが接続された旨の情報を表示するステップとを含んでいる。
【００１６】
尚、これらの発明は、コンピュータに実行させるプログラムとして特定し、コンピュータの例えばＢＩＯＳに各機能を実行させるように構成することも可能である。かかる際には、これらの各機能を実現させるプログラムをこのコンピュータが読取可能に記憶した記憶媒体に格納する形態がある。この記憶媒体としては、例えばＣＤ−ＲＯＭ媒体等が該当し、コンピュータにおけるＣＤ−ＲＯＭ読取装置によってプログラムが読み取られ、例えば、コンピュータにおけるハードディスク等の各種メモリにこのプログラムが格納され、実行される形態が考えられる。また、これらのプログラムは、例えば、プログラム伝送装置によってネットワークを介してノートＰＣ等のコンピュータ装置に提供される形態が考えられる。
【００１７】
【発明の実施の形態】
以下、添付図面に基づき、本発明の実施の形態について詳細に説明する。
図１は、本実施の形態が適用されるコンピュータ装置の構成を説明するための図である。この図１に示すように、コンピュータ装置は、例えばノートブック型パーソナルコンピュータ(ノートＰＣ)であり、キーボードやトラックポイントなどが設けられたベース部１１と、例えばＬＣＤからなる表示パネル１２とを備え、ヒンジ部１３を介して表示パネル１２が回動可能に構成されている。この表示パネル１２の周りは表示パネル外周部１４に囲われており、表示パネル１２の両脇であって表示パネル外周部１４の内側には、ワイヤレスアンテナであるダイバーシティアンテナ１５が設けられ、ケーブル１６を介してベース部１１に装着されるワイヤレスＬＡＮカード３１に接続される。このワイヤレスＬＡＮカード３１は、機能拡張デバイスとしてベース部１１の内部に設けられたマザーボード(図示せず)に装着可能であり、例えばベース部１１の底面に設けられた蓋を開いてマザーボードに装着される。
【００１８】
ベース部１１や表示パネル外周部１４等は、耐久性を高くする必要性から、例えばＣＦＲＰ(炭素繊維複合材料：強化プラスチック)にチタンを含有させた素材が用いられる。しかしながら、この素材は電波を通さないことから、ダイバーシティアンテナ１５が設けられる部分だけ、例えばＡＢＳのプラスチック素材が用いられている。ダイバーシティアンテナ１５は、２本のアンテナの中から、受信感度の良い方が自動的に使用されるように構成されている。また、ワイヤレスＬＡＮカード３１は、ワイヤレスＬＡＮの機能と共に、例えばモデムの機能を集約したコンボカードであり、コネクタはミニＰＣＩ(MiniＰＣＩ)使用に準拠している。
【００１９】
図２は、本実施の形態が適用されるコンピュータ装置のシステム構成を示したブロック図である。ここでは、コンピュータシステム全体の頭脳として機能し、ＯＳの制御下でユーティリティプログラムの他、各種プログラムを実行するＣＰＵ２１、主記憶であるシステムメモリ２２、ＣＰＵ２１やシステムメモリ２２を制御するノースブリッジ２３、ＡＧＰ(Accelerated Graphics Port)を介して接続されるグラフィックス機構であるグラフィックスコントローラ２４を備えている。また、ノースブリッジ２３は、ＰＣＩ(Peripheral Component Interconnect)バス２５を介して、各構成要素と相互接続されている。
【００２０】
ＰＣＩバス２５は、比較的高速なデータ転送が可能なバスであり、データバス幅を３２ビットまたは６４ビット、最大動作周波数を３３ＭＨｚ、６６ＭＨｚ、最大データ転送速度を１３２ＭＢ/秒、５２８ＭＢ/秒とする仕様によって規格化されている。このＰＣＩバス２５には、ハードディスクやキーボード、マウス、トラッキングポイントなどの入出力(Ｉ/Ｏ)を制御するサウスブリッジ２６が接続され、システムに接続されたデバイスを制御するＢＩＯＳ(基本入出力システム)のプログラムが格納されるＢＩＯＳフラッシュＲＯＭ２７がサウスブリッジ２６に接続されている。また、ＰＣＩバス２５には、ミニＰＣＩスロット３０が接続され、ミニＰＣＩ規格に準拠したワイヤレスＬＡＮカード３１が接続可能に構成されている。ＢＩＯＳフラッシュＲＯＭ２７には、ワイヤレス通信に関してワイヤレスアンテナとの組み合わせで規格認定を受けているネットワークコントローラ(デバイス)の識別情報が、デバイステーブルとして格納されている。
【００２１】
ワイヤレスＬＡＮカード３１がミニＰＣＩスロット３０を介してマザーボードに装着されると、アンテナコネクタ３２を介して同軸ケーブル３３を経由し、アンテナスイッチカード４０(マザーボード上に設けられる場合にはアンテナスイッチ回路)に接続される。このアンテナスイッチカード４０にはスイッチデバイス４１が設けられている。このスイッチデバイス４１の一方は、無線信号であるＲＦ(Radio Frequency)信号を伝達する同軸ケーブル３３に接続され、他方は、ダイバーシティアンテナ１５に向かうケーブル１６に接続されている。また、スイッチデバイス４１は、サウスブリッジ２６からのアンテナコントロール信号により、同軸ケーブル３３とケーブル１６との接続/非接続を切り替えている。
【００２２】
アンテナスイッチカード４０はノートブックＰＣの内部に装着されている。このアンテナスイッチカード４０は、ワイヤレスＬＡＮカード３１をミニＰＣＩスロット３０に装着するために例えばベース部１１の下面に設けられた窓(開口部)を開口した場合であっても、ユーザが触れることのできない位置に設けられている。即ち、ユーザがアクセスできない内部にアンテナスイッチカード４０を置くことで、ユーザによる不正なアンテナケーブルのバイパスを防ぐことが可能である。
【００２３】
また、スイッチデバイス４１は、初期状態ではＯＦＦ(オフ)が保たれた状態、即ち、デフォルトではＯＦＦに設定されている。本実施の形態では、ワイヤレスＬＡＮカード３１がシステムに装着された場合であっても、スイッチデバイス４１がＯＮ(オン)の状態にならなければ、ＲＦ信号を放出することができないように構成されている。
【００２４】
図３は、スイッチデバイス４１の構成を説明するための図である。スイッチデバイス４１の一つの端子(Ｊ1側)には、ワイヤレスＬＡＮカード３１に設けられたワイヤレスＬＡＮのサブシステムからのＲＦ信号が同軸ケーブル３３を経由して入力される。また、他の端子(Ｊ2側)には、ダイバーシティアンテナ１５へのＲＦ信号が出力される。また、スイッチデバイス４１の他の端子(Ｖ1)には、サウスブリッジ２６からのアンテナコントロール信号が入力される。例えば、アンテナコントロール信号がＬＯＷ(０Ｖ)になると、Ｊ1とＪ2とが連結され、ワイヤレスＬＡＮのサブシステムからダイバーシティアンテナ１５へＲＦ信号が伝達される。一方、アンテナコントロール信号がＨｉｇｈ(ＶHigh)になると、Ｊ1とＪ2とが切り離されて、ワイヤレスＬＡＮカード３１とダイバーシティアンテナ１５との接続を禁止することができる。
【００２５】
図４は、アンテナとコントローラとの接続/非接続のための処理を示したフローチャートである。まず、システムがパワーオンされた後(ステップ１０１)、ＰＣＩデバイスのサーチがなされる(ステップ１０２)。より具体的には、例えばBus:２についているベースクラス(Base Class)が０２ｈ(Network Controller)のデバイスを探す。ここで、現状のBus:２としては、ミニＰＣＩ、ＥＤＣ/ＭＤＣ、ＰＣカードコントローラ、ドッキングステーション用ＰＣＩ−ＰＣＩ等がある。
【００２６】
次に、見つかったネットワークコントローラからＰＣＩのＩＤが認識手段としてのＢＩＯＳによって読み込まれる(ステップ１０３)。ＰＣＩのＩＤとしては、デバイスＩＤ、ベンダーＩＤ(カードを供給する会社を特定するＩＤ)、サブシステムＩＤ(カードを一義的に特定できるＩＤ)、サブシステムベンダーＩＤがある。これらのＩＤをＢＩＯＳフラッシュＲＯＭ２７に保持されているデバイステーブルと参照する(ステップ１０４)。このデバイステーブルに格納されているＩＤは、ワイヤレスアンテナであるダイバーシティアンテナ１５との組み合わせで、例えば、国際規格ＩＥＥＥ802.11b等の各規格にて互換性が認められたネットワークコントローラの識別情報(サポートデバイス情報)である。例えば、格納手段としてのデバイステーブルには、プロダクト毎に、規格認定を受けているデバイスＩＤ、ベンダーＩＤ、サブシステムＩＤ、サブシステムベンダーＩＤが格納されている。格納されているＩＤは、１つのプロダクトで各々１種類である場合の他、各々複数種類のＩＤが格納される場合がある。
【００２７】
次に、このデバイステーブルに格納されているサポートデバイス情報と読み込まれたＩＤとを参照し、このノートＰＣにてサポートされているデバイスか否かが判断される(ステップ１０５)。より具体的には、デバイステーブルに格納されているサポートデバイス情報と認識された識別情報(ＩＤ)とが一致(合致)しているか否かが判断される。サポートされているデバイスであると判断される場合には、アンテナコントロール信号を用いてスイッチデバイス４１をオンさせる(ステップ１０６)。サポートされていないデバイスである場合には、スイッチデバイス４１をオンさせることなく、次のステップに移行する。その後、１つのデバイスで複数のファンクションに対応している場合や、スロットが複数、存在する場合等を考慮して、最後のＰＣＩデバイスか否かが判断され(ステップ１０７)、最後でない場合には、ステップ１０２へ戻り、最後である場合には、パワーオンセルフテスト(ＰＯＳＴ)へ続く処理がなされる(ステップ１０８)。
【００２８】
このように、本実施の形態では、ユーザがシステムを立ち上げたときに、バイオスは、例えばミニＰＣＩボードのサブシステムＩＤ等をチェックし、ワイヤレスシステムとして許可されているカードが装着されたか否かを判断する。リストにあるＩＤが認識された場合には、デフォルトがＯＦＦとなっているスイッチデバイス４１をＯＮに切り替え、ワイヤレスアンテナを用いた無線通信を可能とする。リストにあるＩＤが認識されなかった場合には、スイッチデバイス４１の切り替えを行わない。これによって、アンテナとコントローラとを分離して許可を受けた場合であっても、システムに装着されるコントローラを規格認定がなされたものに限定することができる。
【００２９】
また、装着される例えばミニＰＣＩデバイスは、ワイヤレスＬＡＮの機能と共に、例えばモデムの機能を集約したコンボカードである場合がある。かかる場合に、この実施の形態によれば、許可されていないワイヤレスＬＡＮ機能だけを禁止し、他の機能を生かすことができる。
【００３０】
次に、他の態様として、規格認定がなされていないコントローラが接続された場合に、システムをブートさせない(起動シーケンスを停止する)方法について説明する。
図５は、サポートされたデバイスか否かによってブートシーケンス(起動シーケンス)を終了する処理を示したフローチャートである。まず、図４に示すものと同様に、システムがパワーオンされた後(ステップ２０１)、認識手段としての、ＣＰＵ２１によって実行されるＢＩＯＳによって、ＰＣＩデバイスのサーチがなされる(ステップ２０２)。次に、見つかったネットワークコントローラからＰＣＩのＩＤが読み込まれる(ステップ２０３)。ＰＣＩのＩＤとしては、デバイスＩＤ、ベンダーＩＤ、サブシステムＩＤ、サブシステムベンダーＩＤがある。これらのＩＤをＢＩＯＳ内に保持されているデバイステーブルと参照する(ステップ２０４)。このデバイステーブルに格納されているＩＤは、ワイヤレスアンテナであるダイバーシティアンテナ１５との組み合わせによって、各規格にて互換性が認められたネットワークコントローラの識別情報である。このデバイステーブルと読み込まれたＩＤとを参照し、このノートＰＣにてサポートされているデバイスか否かが判断される(ステップ２０５)。ここまでは、図４に示した処理と同様である。
【００３１】
このステップ２０５にて、サポートされているデバイスでない場合には、ブートシーケンスを終了して(ステップ２０６)、一連の処理を終了する(ステップ２０７)。ステップ２０５にてサポートされているデバイスである場合には、最後のＰＣＩデバイスか否かが判断され(ステップ２０８)、最後でない場合には、ステップ２０２へ戻り、最後である場合には、パワーオンセルフテスト(ＰＯＳＴ)へ続く処理がなされる(ステップ２０９)。尚、ステップ２０６にてブートシーケンスを終了する際には、例えば「許可されていないネットワークカードがプラグインされました。電源をＯＦＦにし、ミニＰＣＩネットワークカードを取り外してください。」といったメッセージが表示されて止まる。
【００３２】
このように図５に示す態様では、システムに接続されるコントローラを限定する機能として、ＢＩＯＳがＰＯＳＴ時に、許可されていないミニＰＣＩデバイスをはじくようにした。これにより、アンテナとコントローラとを分離して許可を受ける場合であっても、簡単な構成によってコントローラを限定することができる。
【００３３】
以上、詳述したように、本実施の形態によれば、ワイヤレスアンテナとコントローラとを分離して法規の認定を受けた場合にも、システムに付くコントローラを簡易に限定することができる。また、各国の無線に関する法規の認定を受ける際に、ワイヤレスアンテナと無線ＬＡＮカードとを切り離して置くことによって、無線ＬＡＮカードを同種のアンテナを搭載した他のシステムでも用いることができ、容易に無線に関する法規の認定を受けることができる。
【００３４】
尚、ＰＣＩやＰＣＭＣＩＡ(Personal Computer Memory Card International Association)には、そのカードがどのようなファンクションを持っているかを判別するためのＩＤを有している。このＩＤは、そのカードが例えばグラフィックアダプタなのかネットワークアダプタなのかという大まかな判別しかできない。これは、他の周辺インタフェース(例えばＵＳＢ等)でも同様である。従って、本実施の形態は、ＰＣＩに限らず、ＰＣＭＣＩＡ、ＵＳＢ等に広く使用することができる。
【００３５】
【発明の効果】
このように、本発明によれば、アンテナを搭載するコンピュータ装置にあって、アンテナと不適切な組み合わせとなる通信用コントローラの接続によるワイヤレス通信を禁止することができる。
【図面の簡単な説明】
【図１】  本実施の形態が適用されるコンピュータ装置の構成を説明するための図である。
【図２】  本実施の形態が適用されるコンピュータ装置のシステム構成を示したブロック図である。
【図３】  スイッチデバイスの構成を説明するための図である。
【図４】  アンテナとコントローラとの接続/非接続のための処理を示したフローチャートである。
【図５】  サポートされたデバイスか否かによってブートシーケンスを終了する処理を示したフローチャートである。
【符号の説明】
１１…ベース部、１２…表示パネル、１３…ヒンジ部、１４…表示パネル外周部、１５…ダイバーシティアンテナ、１６…ケーブル、２１…ＣＰＵ、２２…システムメモリ、２３…ノースブリッジ、２４…グラフィックスコントローラ、２５…ＰＣＩ(Peripheral Component Interconnect)バス、２６…サウスブリッジ、２７…ＢＩＯＳフラッシュＲＯＭ、３０…ミニＰＣＩスロット、３１…ワイヤレスＬＡＮカード、３２…アンテナコネクタ、３３…同軸ケーブル、４０…アンテナスイッチカード、４１…スイッチデバイス
【図１】
0003799289.tif 000002
【図２】
0003799289.tif 000003
【図３】
0003799289.tif 000004
【図４】
0003799289.tif 000005
【図５】
0003799289.tif 000006